(57)【特許請求の範囲】
【請求項１】
地上デジタル放送における放送波信号を受信する受信アンテナと、該受信アンテナで受信した信号について回り込みキャンセルした信号を増幅する中継放送機と、該中継放送機で増幅された信号を送出する送信アンテナとを有する直接中継方式の中継所において、前記受信アンテナで受信した信号における干渉による妨害成分を除去する回り込みキャンセラであって、
前記中継放送機の入力信号または出力信号から分岐された信号を受ける入力端子と、干渉による妨害成分に対応した複製信号を発生する出力端子とを有するデジタル信号処理部と、
前記受信アンテナで受信した干渉による妨害成分を含んでいる信号を受ける第１の入力端子と、前記デジタル信号処理部の出力端子から出力される前記複製信号を受ける第２の入力端子と、前記第１の入力端子で受ける信号から前記第２の入力端子で受ける複製信号を減算して干渉による妨害成分を除去した信号を、前記中継放送機に供給する減算器と、を具え、
前記デジタル信号処理部は、
前記中継放送機の入力信号または出力信号から分岐された信号を処理して等価ベースバンド信号を出力する直交復調器と、
該等価ベースバンド信号をＦＦＴ処理して有効シンボル期間の実数部と虚数部の各信号を発生するＦＦＴ回路と、
前記ＦＦＴ回路から供給されるＦＦＴ処理結果の実数部と虚数部の各信号から、所定の基準キャリア信号及びＴＭＣＣ信号のキャリア成分、又は所定の基準キャリア信号とＴＭＣＣ信号のいずれかのキャリア成分を抽出し、これらのキャリア振幅値及び位相値から伝達関数を評価して回り込み伝送路特性を推定し、推定後の実数部又は虚数部のいずれかの信号に逆ＦＦＴ処理を行い、複素インパルス応答に変換して、タップ係数を生成するＤＳＰ回路と、
前記直交復調器から供給される等価ベースバンド信号に、前記ＤＳＰ回路が生成したタップ係数を設定して、回り込み伝送系から受信アンテナに供給される信号と同じ周波数−振幅特性、周波数−位相特性を与えた第２等価ベースバンド信号を発生するアダプティブ複素デジタルフィルタと、
前記直交復調器で使用したのと同じ基準キャリア信号を用いて前記第２等価ベースバンド信号をデジタルＩＦ信号に変換する直交変調器と、
該デジタルＩＦ信号をアナログ信号に変換するＤＡ変換器とを備え、
所定の基準キャリア信号及び／又はＴＭＣＣ信号の各キャリア振幅値及び位相値から、回り込み伝送路特性を推定して複製信号を生成するようにしたことを特徴とする、回り込みキャンセラ。
【請求項２】
前記所定の基準キャリア信号は、ＣＰ信号又はＳＰ信号であることを特徴とする、請求項１に記載の回り込みキャンセラ。
【請求項３】
前記デジタル信号処理部は、前記ガードインターバル内のタイミングで、前記アダプティブ複素デジタルフィルタの各系統の前記伝達関数を切り替える手段を有することを特徴とする、請求項１又は２に記載の回り込みキャンセラ。
【請求項４】
地上デジタル放送における放送波信号を受信する受信アンテナと、該受信アンテナで受信した信号について回り込みキャンセルした信号を増幅する中継放送機と、該中継放送機で増幅された信号を送出する送信アンテナとを有する直接中継方式の中継所において、
前記受信アンテナで受信した信号における干渉による妨害成分を除去する回り込みキャンセラであって、
前記中継放送機の入力信号または出力信号から分岐された信号を受ける入力端子と、干渉による妨害成分に対応した複製信号を発生する出力端子とを有するデジタル信号処理部と、
前記受信アンテナで受信した干渉による妨害成分を含んでいる信号を受ける第１の入力端子と、前記デジタル信号処理部の出力端子から出力される前記複製信号を受ける第２の入力端子と、前記第１の入力端子で受ける信号から前記第２の入力端子で受ける複製信号を減算して干渉による妨害成分を除去した信号を、前記中継放送機に供給する減算器と、を具え、
前記デジタル信号処理部は、
前記中継放送機の入力信号または出力信号から分岐された信号を処理して等価ベースバンド信号を出力する直交復調器と、
該等価ベースバンド信号をＦＦＴ処理して有効シンボル期間の実数部と虚数部の各信号を発生するＦＦＴ回路と、
前記ＦＦＴ回路から供給されるＦＦＴ処理結果の実数部と虚数部の各信号から、所定の基準キャリア信号及びＴＭＣＣ信号のキャリア成分、又は所定の基準キャリア信号とＴＭＣＣ信号のいずれかのキャリア成分を抽出し、これらのキャリア振幅値及び位相値から伝達関数を評価して回り込み伝送路特性を推定し、回り込み伝送系から受信アンテナに供給される信号と同じ周波数−振幅特性、周波数−位相特性の帯域通過特性となるようなタップ係数を生成するＤＳＰ回路と、
前記中継放送機の入力信号または出力信号から分岐された信号に、前記ＤＳＰ回路が生成したタップ係数を設定して、回り込み伝送系から受信アンテナに供給される信号と同じ周波数−振幅特性、周波数−位相特性の帯域通過特性を有するデジタルＩＦ信号を発生する実数係数デジタルフィルタと、
該デジタルＩＦ信号をアナログ信号に変換するＤＡ変換器とを備え、
所定の基準キャリア信号及び／又はＴＭＣＣ信号の各キャリア振幅値及び位相値から、回り込み伝送路特性を推定して複製信号を生成するようにしたことを特徴とする、回り込みキャンセラ。
【請求項５】
前記中継所における受信信号をＢＳＴ−ＯＦＤＭ方式のデジタル放送信号とし、少なくともＢＳＴ−ＯＦＤＭ信号に含まれるＢＰＳＫ変調波であるＳＰ信号を利用して干渉による妨害波伝送系の伝達関数を推定することにより前記実数係数デジタルフィルタのタップ係数を設定するように前記タップ係数作成回路を構成した請求項４に記載の回り込みキャンセラ。
【請求項６】
少なくとも前記ＢＳＴ−ＯＦＤＭ信号のすべてのシンボルに含まれるＡＣ信号またはＴＭＣＣ信号を用いて干渉による妨害波伝送系の伝達関数の粗い推定を行った後、引き続き所定シンボル間隔で送られるが、周波数軸上では、前記ＡＣ信号または前記ＴＭＣＣ信号より細かい間隔で配置されるＳＰ信号を用いて干渉による妨害波伝送系の伝達関数の精密な推定を行うように前記タップ係数作成回路を構成した請求項５記載の回り込みキャンセラ。
【請求項７】
前記ＤＳＰ回路が、少なくとも、総合伝達関数で複素除算を行う回路および/または干渉による妨害波をキャンセルするために設けた帰還回路の伝達関数と実際の干渉による妨害波伝送系の伝達関数との差を最小化する回路を有する請求項４に記載の回り込みキャンセラ。
【請求項８】
前記帰還回路の伝達関数は、前記ＢＳＴ−ＯＦＤＭ信号のガードインターバル内のタイミングで切り替えられることを特徴とする請求項５に記載の回り込みキャンセラ。
【発明の詳細な説明】
【０００１】
【発明の属する技術分野】
本発明は、デジタル放送やデジタル伝送における中継所（具体的には、中継装置）に係り、特に、ＳＦＮ（Single Frequency Network：単一周波数ネットワーク）における中継所の送受アンテナ間での信号の回り込み（以下、単に回り込みと言う）をキャンセルする回り込みキャンセラに関する。
【０００２】
【従来の技術】
現在の放送波中継では、受信周波数と送信周波数が異なるＤＦＮ（Dual Frequency Network：２周波数ネットワーク）が採用されており、自局送信電波は受信フィルタで十分減衰されているため、回り込みの問題は発生しない。また、送信と受信に同一の周波数を用いる場合は、送信電力の小さい局に限られ、さらに、この場合には送信アンテナと受信アンテナの物理的距離を十分確保する分離形式をとるため、送信電波は受信アンテナ入力において十分減衰されているため、回り込みは殆んど生ぜず問題とはならない。
【０００３】
これに対し、実施が検討されている地上デジタル放送ではＢＳＴ−ＯＦＤＭ（Band Segmented Transmission Orthogonal Frequency Division Multiplexing) 方式が有力である。この方式はマルチパス歪みに対して強く、様々なサービス形態に対応できるなどの利点とともに、ＳＦＮが可能であるという特徴をもっている。地上デジタル放送を導入するに当たり、既存のアナログ放送と共存するために、デジタル放送は空きチャンネルを利用する必要がある。一方、空きチャンネルの数が少ないために、ＳＦＮは必要条件となる。
【０００４】
ＳＦＮを実現する上で問題となるのは、非分離型放送波中継所における送受アンテナ間での回り込み現象であり、伝送品質の劣化を生じるのみでなく、送受アンテナ間での結合量が大きい場合には発振を引き起こし、再送信を不能にしてしまう。回り込みの量を小さくするには、受信アンテナと送信アンテナの物理的距離を離す方法（いわゆる分離型放送波中継所）があるが、コスト的に不利である。
【０００５】
なお、送信アンテナと受信アンテナを近づけて配置し、同一周波数で再送信している例として、ポケットベル用の中継所の例があり、電気的な方法を用いて回り込みをキャンセルしている。ただし、この例では、いったん、受信電波をデータに復調し、再び変調を行う再生中継方式が採用されており、地上デジタル放送における中継所のように、中継所での遅延時間が十分小さいことを要求されるＯＦＤＭ信号を用いるＳＦＮでは適用できない。また、これと同時に、デジタル放送波中継の場合、帯域幅が数１０ｋＨｚと非常に狭いポケットベルシステムに比べ帯域幅が約６ＭＨｚと非常に広く、回り込みに起因する帯域内特性も非常に複雑であるため、ポケットベルシステムにおける回り込みをキャンセルする方式を地上デジタル放送の中継に適用することはできない。
【０００６】
【発明が解決しようとする課題】
上述したように、地上デジタル放送では、空きチャンネルの不足から、ＳＦＮを実現することが必要となる。ＯＦＤＭ信号は、キャリア数を多くすることで、単一キャリア変調方式と比較してシンボル周波数を低く、１シンボル期間を長くすることが可能である。このため、伝送効率を僅か低下させるだけで、比較的長期間のガードインターバルを付加することが可能となり、従って、強力な耐マルチパス特性をもたせ得る。このマルチパスに強いという特性からＳＦＮが可能となる。
【０００７】
ＳＦＮにおいて放送波中継を行う場合に重要となるのは、第１に中継放送機における遅延時間、第２に伝送信号の帯域幅である。前述したように、ポケットベルなどの通信の分野で利用される回り込みキャンセラ機能を有する中継所は、いったん、受信電波をデータに復調して再変調を行う再生中継方式であり、また、帯域幅も、地上デジタル放送の１チャンネル当たりの帯域幅が６ＭＨｚであるのに対して、数１０ｋＨｚと非常に狭い。この方式を地上デジタル放送用のＯＦＤＭ信号に適用した場合を考える。放送波中継用のＯＦＤＭ変調波の１シンボルの時間長が通信の場合のそれよりはるかに長いことから、いったんデータを復調するのに、ガードインターバルより長い遅延時間が中継放送機で生じてしまう。この場合、受信機では、ガードインターバルを超えた非常に長い遅延時間のマルチパス妨害を受けることになり、誤り率が大きく劣化してしまう。
【０００８】
すなわち、上記理由から、中継放送機における遅延時間はガードインターバルと比較して十分小さくする必要がある。また、通信の分野で使われている回り込みキャンセラでは、再送信出力から分配した複素信号に、複素係数を掛算して入力側に帰還させることによって回り込みをキャンセルする方式を採用している。伝送帯域幅が十分狭い場合には、非常に長い遅延時間の回り込みがないとすれば、帯域内特性は平坦であると見なせるため、回り込みキャンセルはこの方法でもよいが、帯域幅が約６ＭＨｚと広帯域な地上デジタル放送では、回り込みによる複雑な帯域特性が予想されるため、単純な複素係数の掛算による帰還では帯域内全体を等化することはできない。
【０００９】
本発明の目的は、従来から通信の分野で行われている再生中継方式ではなく、単純に増幅して再送信を行う直接中継方式に適用でき、従って、地上デジタル放送のような広帯域の信号に対しても原理的に中継放送機における遅延時間が大きくならない回り込みキャンセラを提供することにある。
【００１０】
【課題を解決するための手段】
上記目的を達成するために、本発明回り込みキャンセラでは、中継放送機（中継所内の機器にあって、特に信号の電力増幅を行う増幅器のこと）の出力側または入力側から分配して取り出した信号を直交復調して等価複素ベースバンド信号に変換後、その変換した信号が供給されるように配置した後述する種類のデジタルフィルタを用いて中継所の送受アンテナ間の回り込み伝送系の伝達特性に等しい伝達特性を実現し、出力側からの回り込みを含む中継所の受信入力信号から、上記実現した等しい伝達特性を有するデジタルフィルタを介して得られるキャンセル用信号を減算する（この減算は、当然に、キャンセル用信号の極性（正または負）を反転して加算することを含む）ことにより、中継装置の送受アンテナ間での回り込みをキャンセルするようにしている。
【００１１】
すなわち、本発明は、地上デジタル放送における放送波信号を受信する受信アンテナと、該受信アンテナで受信した信号について回り込みキャンセルした信号を増幅する中継放送機と、該中継放送機で増幅された信号を送出する送信アンテナとを有する直接中継方式の中継所において、前記受信アンテナで受信した信号における干渉による妨害成分を除去する回り込みキャンセラであって、
前記中継放送機の入力信号または出力信号から分岐された信号を受ける入力端子と、干渉による妨害成分に対応した複製信号を発生する出力端子とを有するデジタル信号処理部と、
前記受信アンテナで受信した干渉による妨害成分を含んでいる信号を受ける第１の入力端子と、前記デジタル信号処理部の出力端子から出力される前記複製信号を受ける第２の入力端子と、前記第１の入力端子で受ける信号から前記第２の入力端子で受ける複製信号を減算して干渉による妨害成分を除去した信号を、前記中継放送機に供給する減算器と、を具え、
前記デジタル信号処理部は、
前記中継放送機の入力信号または出力信号から分岐された信号を処理して等価ベースバンド信号を出力する直交復調器と、
該等価ベースバンド信号をＦＦＴ処理して有効シンボル期間の実数部と虚数部の各信号を発生するＦＦＴ回路と、
前記ＦＦＴ回路から供給されるＦＦＴ処理結果の実数部と虚数部の各信号から、所定の基準キャリア信号及びＴＭＣＣ信号のキャリア成分、又は所定の基準キャリア信号とＴＭＣＣ信号のいずれかのキャリア成分を抽出し、これらのキャリア振幅値及び位相値から伝達関数を評価して回り込み伝送路特性を推定し、推定後の実数部又は虚数部のいずれかの信号に逆ＦＦＴ処理を行い、複素インパルス応答に変換して、タップ係数を生成するＤＳＰ回路と、
前記直交復調器から供給される等価ベースバンド信号に、前記ＤＳＰ回路が生成したタップ係数を設定して、回り込み伝送系から受信アンテナに供給される信号と同じ周波数−振幅特性、周波数−位相特性を与えた第２等価ベースバンド信号を発生するアダプティブ複素デジタルフィルタと、
前記直交復調器で使用したのと同じ基準キャリア信号を用いて前記第２等価ベースバンド信号をデジタルＩＦ信号に変換する直交変調器と、
該デジタルＩＦ信号をアナログ信号に変換するＤＡ変換器とを備え、
所定の基準キャリア信号及び／又はＴＭＣＣ信号の各キャリア振幅値及び位相値から、回り込み伝送路特性を推定して複製信号を生成するようにしたことを特徴とする。
【００１４】
また、本発明のさらに他の好適例では、前記所定の基準キャリア信号は、ＣＰ信号又はＳＰ信号であることを特徴とする。
【００１５】
また、本発明の他の好適例では、前記デジタル信号処理部は、前記ガードインターバル内のタイミングで、前記アダプティブ複素デジタルフィルタの各系統の前記伝達関数を切り替える手段を有することを特徴とする。
【００１６】
【発明の実施の形態】
以下に添付図面を参照し、発明の実施の形態に基づいて本発明を詳細に説明する。
ＳＦＮで地上デジタル放送の中継を行う場合、親局から到来してきた放送波を中継放送機で増幅して、全く同一の周波数で再送信する。このとき、送信電波の電界強度は受信電波の電界強度と比較して非常に強い。受信アンテナは親局の方向に指向性を持っているが、送信アンテナにはサービスエリアの形状に合わせた指向性を持たせていて、通常広い角度で電波が放射される。従って、送信アンテナの受信アンテナの方向への指向性利得、逆に受信アンテナの送信アンテナ方向への指向性利得に応じて回り込みが生じる。さらに、送信された電波のうち放送波中継所付近の構築物、樹木、山などで反射され受信アンテナに戻ってくる電波もあり、これらも回り込みとなる。したがって、回り込みは異なる遅延時間、強度、位相を持つ信号の合成信号として、受信アンテナにて加算される。
【００１７】
図１は、本発明回り込みキャンセラを使用して放送波中継所の送受アンテナ間での回り込みをキャンセルする方法の原理的構成の一例をブロック図にて示している。
図１において、１は本発明回り込みキャンセラ、２は電力増幅器などで構成される中継放送機、３は出力フィルタ、および４は方向性結合器である。
【００１８】
このような構成において、回り込み波を含んでいる希望波（再送信されるべき電波）は、図示の受信アンテナで受信され、本発明回り込みキャンセラ１に入力される。以下に詳細に説明するように、この本発明回り込みキャンセラ１は、放送波の帯域制限用の出力フィルタ３の後段に設けた方向性結合器４から得られる放送波出力の分配信号を参照信号として、総合伝達関数を評価し、回り込み特性を推定すると同時に、回り込み波の伝送路の伝達関数と同じ伝達関数をもつ伝送路を複素デジタルフィルタによって実現し、このフィルタの出力信号を受信入力信号から差し引くことで、回り込み波をキャンセルするようにしたものであり、従って、回り込みキャンセラ１の出力信号には回り込み波は見られず、消失している。
【００１９】
以上のようにして、回り込み波が消失して希望波のみが中継放送機２により増幅され、さらに出力フィルタ３、方向性結合器４を順次介して送信アンテナに入力され、回り込み波を含まない放送波が一般受信者に届けられる。なお、図示の方向性結合器４は、放送波出力から参照信号を取り出して本発明回り込みキャンセラ１を動作させるために必要なものである。
【００２０】
図２は、本発明回り込みキャンセラを使用して放送波中継所の送受アンテナ間での回り込みをキャンセルする方法の原理的構成の他の例をブロック図にて示している。なお、図２と図１とで同一符号を付して示されるブロックは、両図において同一の回路要素を示すものとする。
図２に示した構成においては、本発明回り込みキャンセラ１を動作させるために必要な参照信号を、図１では中継放送機２の出力側から方向性結合器４を介して得ていたのを、中継放送機２の入力側から分配器５を介して得ている点である。この場合、参照信号に中継放送機２、出力フィルタ３の特性が含まれていないことを考慮し、総合伝達関数の評価や、回り込みキャンセラ１内で生成される伝達関数を作成する際に換算を行う必要がある。
【００２１】
以下に数式を用いて、図１の構成によって回り込みがキャンセルできることを図３を参照して説明する。
図３においては、図１に示した回り込みキャンセルのための回路構成中、信号とそのフーリエ変換、および各回路ブロックのインパルス応答とそのフーリエ変換を以下の説明に合わせて回路動作の定量化のために定めている。
図３および以下の説明における信号やインパルス応答の表示については、大文字で複素数、小文字で実数をそれぞれ表すものとする。
【００２２】
まず、ｔを時間、ωを角周波数として、親局より到来する信号（希望波）をｒ（ｔ）、そのフーリエ変換をＲ（ω）、自局送信信号（放送波）をｓ（ｔ）、そのフーリエ変換をＳ（ω）とする。つぎに、回り込み伝送路のインパルス応答をｃ（ｔ）、そのフーリエ変換をＣ（ω）とし、回り込みキャンセラ１内のアダプティブフィルタ（複素デジタルフィルタ）のインパルス応答をｃ'(ｔ)、そのフーリエ変換をＣ'(ω)とする。同じく回り込みキャンセラ１内の入力フィルタのインパルス応答をｄ（ｔ）、そのフーリエ変換をＤ（ω）とし、中継放送機２のインパルス応答をＡ・ｇ（ｔ）、そのフーリエ変換をＡ・Ｇ（ω）とする。ここで、Ａは中継放送機２の増幅度（定数）である。
【００２３】
また、回り込みキャンセラ１への入力信号をｉ（ｔ）、そのフーリエ変換をＩ（ω）、回り込みキャンセラの出力をｏ（ｔ）とし、そのフーリエ変換をＯ（ω）とする。回り込みキャンセラへの入力信号は、希望波と回り込み波の和であるから（１）式が成立し、（１）式をフーリエ変換した結果が（２）式である。
ｉ（ｔ）＝ｒ（ｔ）＋ｃ（ｔ）＊ｓ（ｔ）    （１）
Ｉ（ω）＝Ｒ（ω）＋Ｃ（ω）Ｓ（ω）      （２）
【００２４】
ここで、＊は畳み込み演算を表す。回り込みキャンセラ１に入力された信号ｉ（ｔ）はキャンセラ１内の入力フィルタを通過し、さらに、アダプティブフィルタ出力を減算され回り込みキャセンラ１から出力されｏ（ｔ）となり、（３）式が成立する。（３）式をフーリエ変換した結果が（４）式である。
ｏ（ｔ）＝ｉ（ｔ）＊ｄ（ｔ）−ｃ'(ｔ）＊ｓ（ｔ）  （３）
Ｏ（ω）＝Ｉ（ω）Ｄ（ω）−Ｃ'(ω）Ｓ（ω）      （４）
【００２５】
回り込みキャンセラの出力信号ｏ（ｔ）は中継放送機２を通って放送波ｓ（ｔ）となり送信アンテナ（図示せず）より送信される。ここでは、（５）式が成立し、（５）式をフーリエ変換した結果が（６）式である。
ｓ（ｔ）＝Ａ・ｏ（ｔ）＊ｇ（ｔ）          （５）
Ｓ（ω）＝Ａ・Ｏ（ω）・Ｇ（ω）          （６）
（６）式に（４）式を代入すると（７）式が得られる。
Ｓ（ω）＝Ａ・Ｇ（ω）｛Ｉ（ω）Ｄ（ω）−Ｃ'(ω）Ｓ（ω）｝  （７）
また、（７）式に（２）式を代入すると（８）式が得られる。
Ｓ（ω）＝Ａ・Ｇ（ω）［｛Ｒ（ω）＋Ｃ（ω）Ｓ（ω）｝Ｄ（ω）−Ｃ'(ω）Ｓ（ω）］  （８）
【００２６】
（８）式は（９）式のように整理される。
Ｓ（ω）［１−Ａ・Ｇ（ω）｛Ｄ（ω）Ｃ（ω）−Ｃ'(ω) ｝］＝Ａ・Ｇ（ω）Ｒ（ω）Ｄ（ω）  （９）
（９）式を変形し、系全体の総合伝達関数Ｆ（ω）を求めると（１０）式が得られる。
【数１】
0004409639.tif 000002
系全体の伝達関数が、中継放送機１の利得Ａ、その周波数特性Ｇ（ω）および回り込みキャンセラ１の入力フィルタの特性Ｄ（ω）のみで（１１）式のように表すことができるとすれば、回り込みの影響はキャンセルされたことになる。
Ｆ（ω）＝Ａ・Ｇ（ω）Ｄ（ω）        （１１）
【００２７】
（１１）式が成立する条件は、（１０）式において分母が１になることを意味し、これは、（１２）式が成立することである。
Ｄ（ω）Ｃ（ω）＝Ｃ’（ω）            （１２）
（１２）式は、アダプティブフィルタの周波数特性（右辺）が、入力フィルタ経由の回り込み伝送路の周波数特性（左辺）に等しいことがキャンセルの条件であることを意味している。Ｇ（ω），Ｄ（ω）は既知であるから、Ｃ（ω）を知ることができれば、回り込みはキャンセルできることになる。
【００２８】
次に、回り込み伝送路の伝達関数の評価方法について説明する。
図４および図５に、それぞれＢＳＴ−ＯＦＤＭ信号のＯＦＤＭセグメントの構成、および同期変調部のＯＦＤＭセグメントの構成を示す。
ＢＳＴ−ＯＦＤＭ信号では、図５に示すように、受信機側での復調を容易にするために、ＣＰ（Continual Pilot signal） 、ＳＰ（Scattered Pilot signal）などの基準信号が挿入されており、さらに、各ＯＦＤＭセグメントの変調方式などを示すＴＭＣＣ（Transmission Modulation Configuration Code） が各ＯＦＤＭセグメントに含まれている。
【００２９】
これらのキャリアはＢＰＳＫ変調され、かつキャリア振幅は一定であるため、ＢＳＴ−ＯＦＤＭ信号を復調し、ＣＰ，ＳＰ，ＴＭＣＣそれぞれのキャリア振幅値、位相値を知ることで、回り込み伝送路特性を推定することができる。ここでは、全ＯＦＤＭセグメントは同期変調部であり、ＳＰを用いる場合について説明する。ＳＰは、図５に示すように、シンボル内では１２キャリア間隔で挿入されており、さらにシンボル方向に３キャリアずつ挿入位置がオフセットしていき、４シンボルで完結するように配置されている。従って、回り込み伝送路の変動がシンボル速度に比べ十分遅い場合、４シンボル期間観測すれば、周波数方向に３キャリア間隔で周波数振幅特性、周波数位相特性を得ることができる。ＳＰは一定振幅であるが、その位相は一定規則に従って変化している。
【００３０】
受信したＢＳＴ−ＯＦＤＭ信号からキャリア再生、シンボルタイミング再生して得られた、基準キャリアおよび、基準シンボルタイミングを用いて、受信したＢＳＴ−ＯＦＤＭ信号を直交復調し、さらに、複素ＦＦＴ処理して得られた実数データｘk 、虚数データｙk （ｋ＝１〜Ｎ、ここにｋはキャリア番号、Ｎはキャリア総数）を４シンボルぶん観測し、ＳＰに相当するｓｘl ，ｓｙl を（Ｌ＝１〜ＮS 、ここに、Ｌは離散的な周波数、ＮS はＳＰの１シンボル内の総数の４倍）を抽出する。離散的な周波数Ｌは、ＳＰキャリア周波数と一致し、Ｌが１つ増減するごとに、対応する周波数はＯＦＤＭ信号のキャリア間隔の３倍だけ増減する。
【００３１】
上記ｓｘＬ ，ｓｙＬ に加え、ＯＦＤＭフレームタイミングを再生して求めたＳＰの規定の実数部の値ｒｘＬ 、虚数部の値ｒｙＬ から回り込み伝送系を含む総合伝達関数Ｆ（ω）をサンプリングしたｅｘＬ ，ｅｙＬ を求める（後述の（１８）式）。
【００３２】
上述の（１０）式を変形すると（１５）式が得られる。
【数２】
0004409639.tif 000003
ここで、左辺は、回り込み波をキャンセルするために設けた帰還回路の伝達関数と、遅延回路の影響を考慮した実際の回り込み系との差を表しており、これ（左辺）をＥ（ω）と置けば（１６）式となる。
【数３】
0004409639.tif 000004
【００３３】
（１６）式において、Ｅ（ω）をゼロにすることは、回り込みの完全なキャンセルに対応する。Ａ，Ｇ（ω），Ｄ（ω）は既知で変化しないから、あらかじめ、ＳＰの送られるキャリア周波数でのサンプリング値を得ることは可能であり、それらをＧl ，Ｄl とすれば、Ｅ（ω）のサンプリング値Ｅl は（１７）式で表される。
【数４】
0004409639.tif 000005
ここに、Ｆl は（１８）式で表され、ｉは虚数である。
Ｆl ＝ｅｘl ＋ｉ・ｅｙl           （１８）
【００３４】
（１７）式のＥl を複素逆ＦＦＴ処理して得られる複素インパルス応答をＨm,n-1 とし、アダプティブ複素デジタルフィルタのタップ係数を次の（１９）式で示すように修正を繰り返すことで、回り込みを完全にキャンセルできると同時に、特性の変動する回り込み波に追従、キャンセルを行うことが可能となる。（１９）式において、μは０〜１の適当な数値、Ｈm,n-1 は上記複素インパルス応答、および右辺第１項のＰm,n-1 は更新を行う前のタップ係数であり、さらに、Ｐm,n （左辺）は更新後のタップ係数である。
Ｐm,n ＝Ｐm,n-1 ＋μ・Ｈm,n-1     （１９）
【００３５】
以下に、上述した原理に基づいて構成される回り込みキャンセラの実施の形態について説明する。
図６は、本発明回り込みキャンセラの第１の実施の形態をブロック図にて示している。
図６において、６，１０，１３は帯域通過フィルタ（以下、ＢＰＦと記す）、７は局部発振器、８は分配器、９，１２はミキサ回路としての掛算器、１１は回り込み信号の複製を発生するデジタル信号処理部、および１４は減算回路である。
【００３６】
動作につき説明する。
受信アンテナで受信された信号はＢＰＦ６で所定の帯域幅に帯域制限されるとともに、後述するデジタル信号処理部１１で発生する信号の遅延を補正するための遅延も与えられる。次に、中継増幅器の入力側で分配し作成した参照信号（図２参照）は、局部発振器７で発生され、分配器８で２分配された一方の局部発振信号とミキサ回路９で掛算し、ＩＦ信号に変換した後、ＢＰＦ１０でイメージ成分を除去した後、デジタル信号処理部１１に送り、同処理部において、回り込み伝送系から供給され、受信アンテナにて受信される信号と同じ周波数−振幅特性、周波数−位相特性を有する回り込み信号の複製を発生する。
【００３７】
デジタル信号処理部１１で発生した回り込み信号の複製（ＩＦ信号）はミキサ回路１２で、分配器８から送られる局部発振信号と掛算して周波数変換し、再びＲＦ信号にする。さらにＢＰＦ１３でイメージ成分を除去した後減算回路１４に供給する。減算回路１４において、この回り込み信号の複製は、ＢＰＦ６からこの同じ減算回路１４に供給されるアンテナ受信信号から引き算され、回り込み信号成分が除去されて後、中継放送機へ送られる。
【００３８】
図６中、回り込み信号の複製を発生するデジタル信号処理部１１の詳細な構成例を図７にブロック図にて示し、以下、これにつき説明する。
図７において、１５はＡＤ変換器、１６は直交復調器、１７はＦＦＴ回路、１８はアダプティブ複素デジタルフィルタ、１９はクロック再生回路、２０はキャリア再生回路、２１は回り込み伝送路インパルス応答を作成するＤＳＰ処理部、２２は直交変調器、および２３はＤＡ変換器である。
【００３９】
次に、このデジタル信号処理部（図７に示される回路部分）の動作について説明する。
図６中のＢＰＦ１０を介して当該回路部分に供給される参照信号（ＩＦ信号）は、まずＡＤ変換器１５でデジタルＩＦ信号に変換され、さらに直交復調器１６で等価ベースバンド信号のＩ軸信号、Ｑ軸信号に変換された後、ＦＦＴ回路１７、アダプティブ複素デジタルフィルタ１８、クロック再生回路１９、キャリア再生回路２０にそれぞれ供給される。クロック再生回路１９はＢＳＴ−ＯＦＤＭ信号よりシンボルタイミングを再生すると共に、当該信号処理部で必要な各種タイミング信号を作成のうえ、クロックを必要とする各回路に供給する。
【００４０】
キャリア再生回路２０はＢＳＴ−ＯＦＤＭ信号より基準キャリア信号を再生し、直交復調器１６と直交変調器２２に供給する。また、ＦＦＴ回路１７では、有効シンボル期間のＢＳＴ−ＯＦＤＭ信号の抽出とＦＦＴ処理を行い、その結果を次段のＤＳＰ処理部２１へ送る。ＤＳＰ処理部２１では、ＦＦＴ回路１７から供給されるＦＦＴ処理結果の実数部と虚数部の各信号から、ＳＰ，ＣＰ，ＴＭＣＣのキャリア成分を抽出して回り込み伝送系の伝達関数を求めた後、逆ＦＦＴ処理を行い、複素インパルス応答に変換し、さらにタップ係数を作成して、そのタップ係数をアダプティブ複素デジタルフィルタ１８へ送る。アダプティブ複素デジタルフィルタ１８は、直交復調器１６から供給された等価ベースバンド信号に、回り込み伝送系から受信アンテナに供給される信号と同じ周波数−振幅特性、周波数−位相特性を与えて、その出力を直交変調器２２へ送出する。
【００４１】
直交変調器２２では、直交復調器１６で使用したのと同じキャリア再生回路２０で発生された基準キャリア信号を用いて等価ベースバンド信号をデジタルＩＦ信号に変換後、ＤＡ変換器２３でアナログ信号に変換し、当該デジタル信号処理部の出力としている。以上において、アダプティブ複素デジタルフィルタ１８は、図示のように、４個のアダプティブデジタルフィルタと２個の加算器とで構成することができる。なお、アダプティブ複素デジタルフィルタ１８と同様、破線枠で囲って示される直交復調器１６および直交変調器２２の構成は、それら構成が十分周知であるので説明を省略する。
【００４２】
図６および図７により説明した本発明回り込みキャンセラの第１の実施形態に対して、アナログ信号処理を行う直交復調器、直交変調器を使用して本発明回り込みキャンセラを構成することもでき、この場合の構成例を第２の実施形態として、それぞれ図８および図９にブロック図にて示している。
【００４３】
図８および図９に示す本発明回り込みキャンセラの第２の実施形態においては、回り込みキャンセラ１（図１および図２参照）への入力信号である参照信号をＩＦ信号に変換しなくてもよい（図８参照）代わりに、図９に示すように、ＡＤ変換器およびＤＡ変換器がそれぞれ２個ずつ必要となる（図９に、それぞれ２４，２５および２６，２７として示される）ほか、十分なキャンセル効果を得るためには、これらに高い直交性能が要求される。また、この第２の実施形態では、キャリア再生回路２０から出力される再生キャリア信号はアナログ信号となる。なお、図８および図９の回路動作は、それぞれ図６および図７から殆んど類推可能である（例えば、同じ参照番号によって）ことから、詳細な説明は省略する。
【００４４】
以上説明した本発明回り込みキャンセラは、その第１および第２の実施形態においても、図６および図８のデジタル信号処理部１１にアダプティブ複素デジタルフィルタ１８を用いて回り込みキャンセル用信号を発生している（図７、図９参照）が、本発明回り込みキャンセラは、図６に示すデジタル信号処理部１１を、図１０に示すように、帯域通過特性を有する実数係数デジタルフィルタ（図１０において、アダプティブフィルタ２８と記されている）を用いて構成することもできる。
【００４５】
この場合、回り込み特性を評価するＦＦＴ回路１７や、その後段のＤＳＰ処理部２１に供給する信号は直交復調器１６による直交復調後の等価ベースバンド信号であるが、回り込み伝送系で生成されたのと同じ周波数−振幅特性、周波数−位相特性を有する回り込み信号の複製を作り出す帯域通過特性を有する実数係数デジタルフィルタ２８には直交復調する前の参照信号（ＩＦ信号）が供給され、帯域通過特性が与えられる。この構成においては、アダプティブデジタルフィルタ（図１０において、アダプティブフィルタ２８として示されている）のブロックは１個ですむが、高速動作が要求される。
【００４６】
回り込み信号の複製を作り出すデジタルフィルタは、いずれの場合も（前述した図７および図９の場合も含めて）、例えば、図１１に示すように、複数の係数レジスタ、加算器：
【外１】
0004409639.tif 000006
、掛算器：
【外２】
0004409639.tif 000007
およびＤラッチ：Ｄによって構成される重みづけ加算回路の形態をなしているが、１個のアダプティブデジタルフィルタ２８のブロックは２つの独立したデジタルフィルタの系統を有し、それら各系統が交互にセレクタによって選択され、選択されていない系統にＤＳＰ処理部２１（図１０参照）から更新後の係数がロードされ、係数更新によって生じる不正信号が消失した後で、系統を切り替えるようにしている。この切り替えのタイミングを、ＯＦＤＭ信号のガードインターバルに一致させることで、係数更新の影響を少なくすることが可能である。また、図６〜図９を参照して説明したアダプティブ複素デジタルフィルタ１８を使用する場合には、アダプティブデジタルフィルタのブロックを４個必要とするのに対し、図１０に示す本例の場合は１個のみでよい。
【００４７】
【発明の効果】
本発明によれば、放送波中継所における送受アンテナ間での回り込みをキャンセルすることが可能となり、従って、地上デジタル放送におけるＳＦＮを実現するのに必要なコストを大幅に軽減することができる。
【図面の簡単な説明】
【図１】本発明回り込みキャンセラを使用して放送波中継所の送受アンテナ間での回り込みをキャンセルする方法の原理的構成の一例をブロック図にて示している。
【図２】本発明回り込みキャンセラを使用して放送波中継所の送受アンテナ間での回り込みをキャンセルする方法の原理的構成の他の例をブロック図にて示している。
【図３】図１の構成によって回り込みがキャンセルできることを説明するために、図１の回路構成中の信号とそのフーリエ変換、および各回路ブロックのインパルス応答とそのフーリエ変換を示している。
【図４】ＢＳＴ−ＯＦＤＭ信号のＯＦＤＭセグメントの構成を示している。
【図５】同期変調部のＯＦＤＭセグメントの構成を示している。
【図６】本発明回り込みキャンセラの第１の実施の形態をブロック図にて示している。
【図７】図６中の、回り込み信号の複製を発生するデジタル信号処理部の詳細な構成例をブロック図にて示している。
【図８】
本発明回り込みキャンセラの第２の実施の形態をブロック図にて示している。
【図９】図８中の、回り込み信号の複製を発生するデジタル信号処理部の詳細な構成例をブロック図にて示している。
【図１０】帯域通過特性を有する実数係数デジタルフィルタ（アダプティブフィルタ）を用いて構成した回り込み信号の複製を発生するデジタル信号処理部の詳細な構成例をブロック図にて示している。
【図１１】デジタルフィルタの一構成例を示している。
【符号の説明】
１  回り込みキャンセラ
２  中継放送機
３  出力フィルタ
４  方向性結合器
５  分配器
６，１０，１３  帯域通過フィルタ（ＢＰＦ）
７  局部発振器
８  分配器
９，１２  ミキサ回路
１１  デジタル信号処理部
１４  減算回路
１５  ＡＤ変換器
１６  直交復調器
１７  ＦＦＴ回路
１８  アダプティブ複素デジタルフィルタ
１９  クロック再生回路
２０  キャリア再生回路
２１  ＤＳＰ処理部
２２  直交変調器
２３  ＤＡ変換器
２４，２５  ＡＤ変換器
２６，２７  ＤＡ変換器
２８  帯域通過特性を有する実数係数デジタルフィルタ（アダプティブフィルタ）
〔外１〕  加算器
〔外２〕  掛算器
Ｄ  Ｄラッチ
【図１】
0004409639.tif 000008
【図２】
0004409639.tif 000009
【図３】
0004409639.tif 000010
【図４】
0004409639.tif 000011
【図５】
0004409639.tif 000012
【図６】
0004409639.tif 000013
【図７】
0004409639.tif 000014
【図８】
0004409639.tif 000015
【図９】
0004409639.tif 000016
【図１０】
0004409639.tif 000017
【図１１】
0004409639.tif 000018